(57)【要約】      （修正有）【課題】うつ伏せ寝に使用でき、音楽等の音声データをインプットしスピーカーで再生でき、振動機構を設定し振動マッサージ効果を構成できる多機能まくらを提供する。【解決手段】多機能まくらは、メインまくら部１、及びメインまくら部１に連接する両側の側面まくら部２からなる。メインまくら部１中央に開孔１１を設置し、その内部には、コントロール回路を設置し、コントロール回路により振動構造、及び両側の側面まくら部２に設置するスピーカー１４を連接し、メインまくら部１と側面まくら部２との間には伝動機構を設置し、コントロール回路はボタン３１を設置する外部のコントロールボックス３に接続する。まくらは開孔１１によりうつ伏せ寝に使用でき、しかも伝動機構により側面まくら部２を直立状とし、コントロールボックス３により音楽等の音声データをインプットしスピーカー１４で再生でき、振動機構を設定し、振動マッサージ効果を構成する。【選択図】図１
0003181809.tif 000002
【実用新案登録請求の範囲】
【請求項１】
多機能まくらは、メインまくら部、両側の側面まくら部、コントロールボックスからなり、
該メインまくら部は、中央に、うつ伏せ寝に用いる開孔、及び該開孔に対応するブロック体を設置し、その内部には、コントロール回路を設置し、該コントロール回路により、振動構造及び伝動機構を連接し、該伝動機構は該側面まくら部に連接し、
該両側の側面まくら部は、該コントロール回路に連接するスピーカーをそれぞれ設置し、該メインまくら部の伝動機構に連接し、該伝動機構により、該側面まくら部は、直立或いは水平を呈し、
該コントロールボックスは、該コントロール回路により外付けされ、これにより該振動機構及び該伝動機構を操作することができ、しかもUSB、MP3或いはコンピューターにより音楽等音声データをインプットし、該コントロール回路に保存し、該スピーカーで再生することができ、
該ブロック体を、該メインまくら部の開孔に嵌めて設置し平坦状を形成し、該コントロールボックスにより該振動機構を設定し、振動マッサージ効果を構成できることを特徴とする多機能まくら。
【請求項２】
前記メインまくら部に設置する開孔は、円形孔であることを特徴とする請求項１に記載の多機能まくら。
【請求項３】
前記振動構造は、モーターで、
該モーターの軸心には、エキセントリックブロックを可動状に接続し、
該モーターにより、該エキセントリックブロックの回転を連動し、振動効果を構成することを特徴とする請求項１に記載の多機能まくら。
【請求項４】
前記伝動機構は、該メインまくら部に、モーターを設置し、
該モーターの軸心には、該側面まくら部に固定する連棒を可動状に接続し、該モーターにより、該連棒のスイング動を連動し、これにより該側面まくら部は、直立或いは水平を構成することを特徴とする請求項１に記載の多機能まくら。
【請求項５】
前記コントロールボックスには、放出口を設置し、その内部にはフィトンチッドを収容し、
こうして、フィトンチッドは、該放出口から放出されることを特徴とする請求項１に記載の多機能まくら。
【考案の詳細な説明】
【技術分野】
【０００１】
本考案は多機能まくらに関し、特にうつ伏せ寝に使用でき、音楽等の音声データをインプットしスピーカーで再生でき、振動機構を設定し振動マッサージ効果を構成することもできる多機能まくらに関する。
【背景技術】
【０００２】
一般のまくらは、通常は平面状である。
それら従来のまくらは、仰向け寝、或いは横向き寝に用いることができるが、うつ伏せ寝には、どちらかというと適していない。
そのため、うつ伏せ寝の習慣がある人にとって、不便となっている。
【０００３】
また、一般のまくらは、睡眠、休息に使用できる他には、別の付加機能を持たない。
そのため、その実用価値を低下させている。
しかも、寝る前に音楽などを聞きたいと思った時には、オーディオセットやMP3等に頼らなければならないため、非常に不便であるばかりか、傍にいる人の迷惑になる場合もある。
本考案は、従来のまくらの上記した欠点に鑑みてなされた、うつ伏せ寝に便利で、音楽を楽しむこともでき、振動を発生しマッサージ効果をも備える多機能まくらである。
【先行技術文献】
【特許文献】
【０００４】
【特許文献１】特開２００９−１９５４５０号公報
【考案の概要】
【考案が解決しようとする課題】
【０００５】
本考案が解決しようとする課題は、うつ伏せ寝に使用でき、音楽等の音声データをインプットしスピーカーで再生でき、振動機構を設定し振動マッサージ効果を構成することもできるため、多機能使用の目的を達成することができる多機能まくらを提供することである。
【課題を解決するための手段】
【０００６】
上記課題を解決するため、本考案は下記の多機能まくらを提供する。
多機能まくらは、メインまくら部、両側の側面まくら部、コントロール回路からなり、
該両側の側面まくら部は、該メインまくら部に連接し、
該メインまくら部中央には、開孔を設置し、その内部には、コントロール回路を設置し、
該コントロール回路により振動構造、及び該両側のまくら部に設置するスピーカーを連接し、該メインまくら部と該側面まくら部との間には、伝動機構を設置し、
該コントロール回路は、ボタンを設置する外部のコントロールボックスに接続し、こうしてまくらは、該開孔によりうつ伏せ寝に使用でき、しかも該伝動機構により側面まくら部を直立状とし、該コントロールボックスにより音楽等の音声データをインプットしスピーカーで再生でき、該振動機構を設定し、振動マッサージ効果を構成することもでき、
該メインまくら部と該側面まくら部との間に設置する伝動機構は、該メインまくら部に、モーターを設置し、
該モーターの軸心には、連棒を可動状に接続し、該モーターにより、該連棒のスイング動を連動し、これにより該側面まくら部は、直立或いは水平を構成する。
【考案の効果】
【０００７】
本考案の多機能まくらは、うつ伏せ寝に使用でき、音楽等の音声データをインプットしスピーカーで再生でき、振動機構を設定し振動マッサージ効果を構成することもできるため、多機能使用の目的を達成することができる。
【図面の簡単な説明】
【０００８】
【図１】本考案の立体図である。
【図２】本考案の構造図である。
【図３】本考案の使用実施例図である。
【図４】本考案の別種の使用実施例図である。
【図５】本考案のさらに別種の使用実施例図である。
【考案を実施するための形態】
【０００９】
以下に図面を参照しながら本考案を実施するための最良の形態について詳細に説明する。
【実施例】
【００１０】
本考案の立体図及び構造図である図１、２に示すように、本考案は、メインまくら部１、及び該メインまくら部１に連接する両側の側面まくら部２からなる。
【００１１】
該メインまくら部１は、中央に開孔１１（本実施例では円形開孔）、及び該開孔１１に対応するブロック体１１１を設置し、その内部には、コントロール回路１２を設置する。
【００１２】
該コントロール回路１２により、振動構造１３、及び両側の側面まくら部２に設置するスピーカー１４を連接す、該振動構造１３は、モーター１３１である。
【００１３】
該モーター１３１の軸心には、エキセントリックブロック１３２を可動状に接続し、該モーター１３１により、該エキセントリックブロック１３２の回転を連動し、振動効果を構成する。
【００１４】
該メインまくら部１と該側面まくら部２との間には、伝動機構１５を設置し、該伝動機構１５は、該メインまくら部１に、モーター１５１を設置する。
【００１５】
該モーター１５１の軸心には、該側面まくら部２に固定する連棒１５２を可動状に接続し、該モーター１５１により、該連棒１５２のスイング動を連動し、これにより該側面まくら部２は、直立或いは水平を構成する。
【００１６】
該コントロール回路１２は、ボタン３１を設置する外部のコントロールボックス３に接続し、これにより該振動機構１３及び該伝動機構１５を操作することができる。
【００１７】
該コントロールボックス３には、フィトンチッドを設置し、フィトンチッドは、放出口３２から放出される。
【００１８】
上記した構成部品により組成する多機能まくらの使用時には、該開孔１１によりうつ伏せ寝ができ、しかも該伝動機構１５により、該側面まくら部２を直立状にすることができる。
【００１９】
また、該コントロールボックス３により、USB３３、MP3３４或いはコンピューターから、音楽等の音声データをインプットでき、該コントロール回路１２に保存し、該スピーカー１４で再生することができる。
【００２０】
また、該ブロック体１１１を、該開孔１１に嵌めて設置し、該振動機構１３を設定し、振動マッサージ効果を構成することができる。
【００２１】
本考案の使用実施例図である図３に、図１を合わせて示すように、本考案の使用時には、該ブロック体１１１を取り外し、うつ伏せ寝の習慣がある使用者は、顔面部を下に向けたうつ伏せ寝を行うことができる。
【００２２】
その際、顔面部はちょうど該開孔１１に置かれ、呼吸に影響を及ぼさないため、うつ伏せ寝の習慣がある人にとっては快適性が向上する。
【００２３】
該側面まくら部２は、該モーター１５１により該連棒１５２を連動し直立状とし、この状態で該スピーカー１４から音楽を再生すれば、使用者は音楽を楽しみながら、傍にいる人に迷惑をかけることもない。
【００２４】
寝る前に、該コントロールボックス３の放出口３２からフィトンチッドを放出すれば、睡眠誘導効果を構成することができる。
【００２５】
本考案の別種の使用実施例図である図４に、図１を合わせて示すように、本考案の使用時には、該ブロック体１１１を、該メインまくら部１の開孔１１に嵌めて設置し、平坦状にすることができる。
【００２６】
これにより、使用者は、仰向け寝の姿勢で頭部を該メインまくら部１上に置き、該コントロールボックス３のボタン３１により、該振動機構１３をオンにすれば、該モーター１３１により、該エキセントリックブロック１３２の回転を連動し、頭、頚部或いはその他部位に対する振動マッサージ効果を構成することができる。
【００２７】
該コントロールボックス３は、振動時間及び振動の強さを設定でき、振動マッサージをさらに快適にすることができる。
【００２８】
本考案のさらに別種の使用実施例図である図５に、図１を合わせてに示すように、本考案において、音楽などを聞かない時には、該両側の側面まくら部２を、該コントロールボックス３により操作し、該伝動機構１５は該両側の側面まくら部２を水平状にし、これにより一般のまくらとして使用し、しかも収納の便を図ることができる。
【００２９】
上記したように、本考案は開孔を設置するメインまくら部にスピーカーを設置し、しかも可動状の側面まくら部を組合せ、多機能まくらを構成し、該まくらはうつ伏せ寝の姿勢で使用可能で、しかも音楽等の音声データをインプットし、スピーカーで再生でき、振動マッサージ効果をも備えるため、単一のまくらで多機能使用の目的を達成することができる。
【００３０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３２】
１  メインまくら部
１１  開孔
１１１  ブロック体
１２  コントロール回路
１３  振動構造
１３１  モーター
１３２  エキセントリックブロック
１４  スピーカー
１５  伝動機構
１５１  モーター
１５２  連棒
２  側面まくら部
３  コントロールボックス
３１  ボタン
３２  放出口
３３  USB
３４  MP3
【図１】
0003181809.tif 000003
【図２】
0003181809.tif 000004
【図３】
0003181809.tif 000005
【図４】
0003181809.tif 000006
【図５】
0003181809.tif 000007